(57)【要約】【課題】ライン回路および局線トランク回路にそれぞれ１つの発光ダイオード（ＬＥＤ）を設けることで、アナログ回線の４つの状態を同時に確認できるとともに、アナログ回線の断線や２ワイヤーの逆接続を検出することができる単純構成で利便性の高い構内交換機システムを提供する。【解決手段】給電オン／オフ情報Ｊ１、ノーマル／レバース情報Ｊ２、呼出信号オン／オフ情報Ｊ３および回線のループ接／ループ断情報Ｊ４に対応した複数の状態表示を予めパターン化して記憶しておき、１個の発光ダイオードの点滅でパターン表示する状態表示手段９、状態表示手段１０を備えたライン回路６ａ１、局線トランク回路７ｂをアナログ回線ＬＡで接続した構内交換機２ａ、２ｂから構成する。【選択図】  図１
2005033258.tif 000002
【特許請求の範囲】
【請求項１】
第１構内交換機のライン回路と第２構内交換機の局線トランク回路とをアナログ回線で接続し、前記ライン回路および前記局線トランク回路は、前記アナログ回線の状態を検出して表示する構内交換機システムであって、
前記ライン回路および前記局線トランク回路は、それぞれ前記アナログ回線の複数の状態を１個の発光ダイオードでパターン表示する状態表示手段を備えたことを特徴とする構内交換機システム。
【請求項２】
前記状態表示手段は、複数の状態パターンを記憶するパターン記憶手段と、検出したパターン情報に基づいて対応する状態パターンの駆動信号を制御する表示制御手段と、前記表示制御手段から供給される駆動信号でパターン表示する１個の発光ダイオードと、を備えたことを特徴とする請求項１記載の構内交換機システム。
【請求項３】
前記発光ダイオードは、点灯、消灯、または点灯と消灯のタイミングでパターン表示することを特徴とする請求項２記載の構内交換機システム。
【請求項４】
前記パターン表示は、給電状態、呼出信号状態、極性状態およびループ状態であることを特徴とする請求項３記載の構内交換機システム。
【請求項５】
前記パターン表示は、前記アナログ回線の断線、前記アナログ回線の２ワイヤーの逆接続であることを特徴とする請求項３記載の構内交換機システム。
【発明の詳細な説明】
【０００１】
【発明の属する技術分野】
本発明は構内交換機などの相互間を接続するアナログ回線の状態を表示する構内交換機システムに係り、特にアナログ回線の給電状態、呼出信号状態、極性状態およびループ状態を１個の発光ダイオード（ＬＥＤ）で表示するライン回路および局線トランク回路を備えた構内交換機システムに関する。
【０００２】
【従来の技術】
従来の構内交換機システムにおいて、一方の構内交換機のライン回路と他方の構内交換機の局線トランク回路をアナログ回線で接続し、ライン回路からアナログ回線を介して局線トランク回路に直流電源の供給（給電）、呼出信号の供給、給電の極性反転（信号）の供給を実行し、局線トランク回路からアナログ回線を介してライン回路にループ信号の供給を実行するものが知られている。
【０００３】
従来のライン回路および局線トランク回路は、アナログ回線の状態、アナログ回線が正しく繋がっているかどうか（ライン回路からの給電を局線トランク回路で受け取られているかどうか）、呼出信号が鳴動するかどうか（ライン回路からの呼出信号を局線トランク回路で受け取られているかどうか）、アナログ回線の２ワイヤーの極性が逆になっていないかどうか（ライン回路からの給電の極性を局線トランク回路で正規に受け取られているかどうか）およびダイヤルパルスが通るかどうか（局線トランク回路からのループ接／断等のループ状態がライン回路で受け取られているかどうか）の４つの状態、を確認したい場合には、例えば１つの状態（アナログ回線が正しく繋がっているかどうか）に割り切って１つの発光ダイオード（ＬＥＤ）に表示させるか、４つの状態のそれぞれに対応して４つの発光ダイオード（ＬＥＤ）に表示させたり、パーソナルコンピュータなどの状態表示装置に表示させたりしている。
【０００４】
このようなアナログ回線の状態表示の方式は、従来から知られているが、特許公開公報等で検索した結果、見当たらない状況にある。
【０００５】
【発明が解決しようとする課題】
従来の構内交換機システムは、４つの発光ダイオードを設けなければ、アナログ回線の４つの状態を同時に確認することができない課題がある。
【０００６】
また、アナログ回線の４つの状態を同時に確認するためには、専用の測定器を準備しなければならない課題、４つの発光ダイオード（ＬＥＤ）をライン回路や局線トランク回路の台数に対応して、それぞれ８回路分、１６回路分が必要とされるため、発光ダイオード（ＬＥＤ）の実装スペースが広くなってしまう課題がある。
【０００７】
この発明はこのような課題を解決するためになされたもので、その目的はライン回路および局線トランク回路にそれぞれ１つの発光ダイオード（ＬＥＤ）を設けることで、アナログ回線の上記４つの状態を同時に確認できるとともに、アナログ回線の断線や２ワイヤーの逆接続を検出することができる単純構成で利便性の高い構内交換機システムを提供することにある。
【０００８】
【課題を解決するための手段】
前記課題を解決するためこの発明に係る構内交換機システムは、第１構内交換機のライン回路と第２構内交換機の局線トランク回路とをアナログ回線で接続し、ライン回路および局線トランク回路は、アナログ回線の状態を検出して表示する構内交換機システムであって、ライン回路および局線トランク回路は、それぞれアナログ回線の複数の状態を１個の発光ダイオードでパターン表示する状態表示手段を備えたことを特徴とする。
【０００９】
この発明に係る構内交換機システムのライン回路および局線トランク回路は、それぞれアナログ回線の複数の状態を１個の発光ダイオードでパターン表示する状態表示手段を備えたので、１個の発光ダイオードでアナログ回線の複数の状態を同時にパターン表示するとともに、アナログ回線の断線や２ワイヤーの逆接続をパターン表示することができ、単純構成で利便性の向上を実現することができる。
【００１０】
また、この発明に係る状態表示手段は、複数の状態パターンを記憶するパターン記憶手段と、検出したパターン情報に基づいて対応する状態パターンの駆動信号を制御する表示制御手段と、表示制御手段から供給される駆動信号でパターン表示する１個の発光ダイオードとを備えたことを特徴とする。
【００１１】
この発明に係る状態表示手段は、複数の状態パターンを記憶するパターン記憶手段と、検出したパターン情報に基づいて対応する状態パターンの駆動信号を制御する表示制御手段と、表示制御手段から供給される駆動信号でパターン表示する１個の発光ダイオードとを備えたので、検出したパターン情報に基づいて状態パターンを選択し、状態パターンに対応したパターン表示を１個の発光ダイオード（ＬＥＤ）に表示することができ、システムの導入時の確認や保守が容易になり、使い勝手の良さをアピールすることができる。
【００１２】
さらに、この発明に係る発光ダイオードは、点灯、消灯、または点灯と消灯のタイミングでパターン表示することを特徴とする。
【００１３】
この発明に係る発光ダイオードは、点灯、消灯、または点灯と消灯のタイミングでパターン表示するので、パターン表示を目視するだけで、アナログ回線の状態、アナログ回線の異常を容易に認識することができる。
【００１４】
また、この発明に係るパターン表示は、給電状態、呼出信号状態、極性状態およびループ状態であることを特徴とする。
【００１５】
さらに、この発明に係るパターン表示は、アナログ回線の断線、アナログ回線の２ワイヤーの逆接続であることを特徴とする。
【００１６】
この発明に係るパターン表示は、給電状態、呼出信号状態、極性状態およびループ状態やアナログ回線の断線、アナログ回線の２ワイヤーの逆接続であるので、アナログ回線の複数の状態および回線異常を目視で、容易に確認することができる。
【００１７】
【発明の実施の形態】
以下、この発明の実施の形態を添付図面に基づいて説明する。図１はこの発明に係る構内交換機システムの一実施の形態構成図である。図１において、構内交換機システム１は、第１構内交換機である構内交換機２ａと、第２構内交換機である構内交換機２ｂと、構内交換機２ａのライン回路６ａ１と構内交換機２ｂの局線トランク回路７ｂを接続する２ワイヤー（２線）のアナログ回線ＬＡと、構内交換機２ａに収容される内線電話機ＴＥａと、構内交換機２ｂに収容される内線電話機ＴＥｂ１，ＴＥｂ２とから構成する。
【００１８】
構内交換機２ａは、通話路スイッチ３ａ、記憶装置４ａ、制御装置５ａ、ライン回路６ａ１，６ａ２、局線トランク回路７ａ、専用線トランク８を備え、通話路スイッチ３ａ、記憶装置４ａおよび制御装置５ａは、内部バスＢＵａを介して接続される。
【００１９】
通話路スイッチ３ａは、時分割スイッチで構成して、ライン回路６ａ１，６ａ２、局線トランク回路７ａおよび専用線トランク８を収容し、制御装置５ａの制御によってこれら相互間を自在に接続して通話路を形成する。
【００２０】
記憶装置４ａは、ハードデスク、ＲＯＭやＲＡＭ等のメモリで構成し、構内交換機２ａの全体動作を制御する制御プログラム、各種動作条件の局データ等を格納する。
【００２１】
制御装置５ａは、マイクロプロセッサを基本に構成し、内部バスＢＵａを介して通話路スイッチ３ａおよび記憶装置４ａの動作を制御するとともに、通話路スイッチ３ａを介してライン回路６ａ１，６ａ２、局線トランク回路７ａおよび専用線トランク８の動作を制御することにより、構内交換機２ａ全体の動作を制御する。また、制御装置５ａは、記憶装置４ａに格納されている制御プログラム、各種動作条件の局データ等に基づいて構内交換機２ａの動作を制御する。
【００２２】
ライン回路６ａ１は、アナログ回線ＬＡを介して構内交換機２ｂの局線トランク回路７ｂと接続し、アナログ回線ＬＡの複数の状態（給電状態、極性状態、呼出信号状態およびループ状態）を検出し、１個の発光ダイオード（ＬＥＤ）にパターン表示する状態表示手段９を備える。
【００２３】
また、ライン回路６ａ２は、内線電話機ＴＥａを収容し、内線電話機ＴＥａの発信または着信を制御するインタフェースを形成し、内線電話機ＴＥａの発信（ループ閉結）の検出、ダイヤル信号の検出等を行い、これらの検出信号を制御装置５ａに通知するとともに、制御装置５ａからの制御信号に基づいて内線電話機ＴＥａへの着信を認識すると、極性反転信号の送出、呼出信号の送出等を行い、内線電話機ＴＥａに着信を通知する。
【００２４】
局線トランク回路７ａは、公衆網ＮＴと接続して公衆網ＮＴの発信または着信を制御するインタフェースを形成し、公衆網ＮＴから送出された極性反転信号の検出、呼出信号の検出を行い、これらの検出信号を着信検出として制御装置５ａに通知するとともに、制御装置５ａからの制御信号に基づいて公衆網ＮＴへの発信を認識すると、局線のループ形成（閉結）やダイヤル信号の送出等を行い、公衆網ＮＴに発信を通知する。
【００２５】
専用線トランク８は、専用線ＰＶと接続して専用線ＰＶの発信または着信を制御するインタフェースを形成し、専用線ＰＶから送出されたＳＲ信号の検出等を行い、これの検出信号を着信検出として制御装置５ａに通知するとともに、制御装置５ａからの制御信号に基づいて専用線ＰＶへの発信を認識すると、専用線ＰＶへＳＳ信号の送出を行い、専用線ＰＶに発信を通知する。
【００２６】
構内交換機２ｂは、通話路スイッチ３ｂ、記憶装置４ｂ、制御装置５ｂ、ライン回路６ｂ１，６ｂ２、局線トランク回路７ｂを備え、通話路スイッチ３ｂ、記憶装置４ｂおよび制御装置５ｂは、内部バスＢＵｂを介して接続される。なお、通話路スイッチ３ｂ、記憶装置４ｂ、制御装置５ｂおよびライン回路６ｂ１，６ｂ２は、構内交換機２ａの通話路スイッチ３ａ、記憶装置４ａ、制御装置５ａおよびライン回路６ａ２と同一構成および機能なので、説明を省略し、局線トランク回路７ｂについて説明する。
【００２７】
局線トランク回路７ｂは、アナログ回線ＬＡを介して構内交換機２ａのライン回路６ａ１と接続し、アナログ回線ＬＡの複数の状態（給電状態、極性状態、呼出信号状態およびループ状態）を検出し、１個の発光ダイオード（ＬＥＤ）にパターン表示する状態表示手段１０を備える。
【００２８】
図２はこの発明に係るアナログ回線の状態信号の一実施の形態イメージ図である。図２において、構内交換機２ａのライン回路６ａ１と構内交換機２ｂの局線トランク回路７ｂとを接続するアナログ回線ＬＡの状態信号は、ライン回路６ａ１から局線トランク回路７ｂへ送出される給電オン／オフ情報Ｊ１（構内交換機２ａから構内交換機２ｂへの電源供給の有無）、ノーマル／レバース情報Ｊ２（構内交換機２ａから構内交換機２ｂへの電源極性の非反転／反転）、呼出信号オン／オフ情報Ｊ３（呼出信号の送出／非送出）、および局線トランク回路７ｂからライン回路６ａ１へ送出される回線のループ接／ループ断情報Ｊ４（ループの形成／ループ非形成）がある。
【００２９】
ライン回路６ａ１の状態表示手段９および局線トランク回路７ｂの状態表示手段１０は、給電オン／オフ情報Ｊ１、ノーマル／レバース情報Ｊ２、呼出信号オン／オフ情報Ｊ３および回線のループ接／ループ断情報Ｊ４に対応した複数の状態表示を予めパターン化して記憶しておき、１個の発光ダイオードの点滅でパターン表示する。
【００３０】
このように、この発明に係る構内交換機システムのライン回路６ａ１および局線トランク回路７ｂは、それぞれアナログ回線ＬＡの複数の状態を１個の発光ダイオードでパターン表示する状態表示手段９，１０を備えたので、１個の発光ダイオードでアナログ回線ＬＡの複数の状態を同時にパターン表示するとともに、アナログ回線ＬＡの断線や２ワイヤーの逆接続をパターン表示することができ、単純構成で利便性の向上を実現することができる。
【００３１】
図３はこの発明に係るライン回路の一実施の形態要部ブロック構成図である。図３において、ライン回路６ａ１は、状態表示手段９、ＰＣＭ復号器１４ａ、ＰＣＭ符号器１５ａ、ハイブリッド回路１６ａ、コンデンサＣ１，Ｃ２、ループ検出回路１７、給電回路１８、呼出信号送出回路１９、呼出信号リレー２０、極性反転リレー２１、信号送出接点ｒｇ、極性反転接点ｒｅｖを備え、端子Ａ１，Ａ２にアナログ回線ＬＡの２ワイヤーを収容するとともに、ＰＣＭ復号器１４ａおよびＰＣＭ符号器１５ａを構内交換機２ａの通話路スイッチ３ａに接続する。
【００３２】
状態表示手段９は、表示制御手段１１ａ、パターン記憶手段１２ａ、発光ダイオード（ＬＥＤ）１３ａを備える。
【００３３】
表示制御手段１１ａは、マイクロプロセッサを基本に各種処理機能、シーケンス機能、各種（ＬＥＤ、リレー）駆動機能等を備え、パターン記憶手段１２ａ、発光ダイオード（ＬＥＤ）１３ａ、呼出信号リレー２０および極性反転リレー２１の動作を制御するとともに、ライン回路６ａ１全体の動作を制御する。
【００３４】
また、表示制御手段１１ａは、給電回路１８への給電オン／オフ指令、呼出信号リレー２０への呼出信号オン／オフ指令、極性反転リレー２１への極性ノーマル／レバース指令およびループ検出回路１７からのループ接／ループ断検出に基づいてパターン記憶手段１２ａに格納している給電状態、極性状態、呼出信号状態およびループ状態のパターン情報を読出し、パターン情報に基づいて駆動信号を発光ダイオード（ＬＥＤ）１３ａに提供してパターン表示させる制御を実行する。
【００３５】
パターン記憶手段１２ａは、ＲＯＭ等の固定メモリおよびＲＡＭ等の書替え可能なメモリで構成し、ライン回路６ａ１の制御動作をするための制御プログラム、各種動作条件情報を格納する。
【００３６】
また、パターン記憶手段１２ａは、アナログ回線ＬＡの複数の状態（給電状態、極性状態、呼出信号状態およびループ状態）を発光ダイオード（ＬＥＤ）１３ａにパターン表示するためのパターン情報を予め格納し、表示制御手段１１ａの指令に応じてパターン情報を駆動信号として発光ダイオード（ＬＥＤ）１３ａに提供する。
【００３７】
発光ダイオード（ＬＥＤ）１３ａは、１個で構成し、表示制御手段１１ａの制御によってパターン記憶手段１２ａから提供される駆動信号（パターン情報）に対応した点灯、消灯または点灯と消灯のタイミングでパターン表示し、アナログ回線ＬＡの複数の状態（給電状態、極性状態、呼出信号状態およびループ状態）を表示する。
【００３８】
ＰＣＭ復号器１４ａは、通話路スイッチ３ａから供給されるＰＣＭ信号をアナログ信号に復号化し、復号化したアナログ信号をハイブリッド回路１６ａに供給する。
【００３９】
ＰＣＭ符号器１５ａは、ハイブリッド回路１６ａから提供されるアナログ信号にＩＴＵ−Ｔ勧告のＧ．７１１に従って符号化を施し、符号化したＰＣＭ信号を通話路スイッチ３ａに供給する。
【００４０】
ハイブリッド回路１６ａは、ＰＣＭ復号器１４ａからの送信系２ワイヤーのアナログ信号およびＰＣＭ符号器１５ａへの受信系２ワイヤーのアナログ信号の計４ワイヤーをアナログ回線ＬＡの２ワイヤーに変換、またはアナログ回線ＬＡの２ワイヤーを送信系２ワイヤーおよび受信系２ワイヤーの計４ワイヤーに変換するための４ワイヤー／２ワイヤー変換回路を構成する。
【００４１】
コンデンサＣ１，Ｃ２は、直流阻止コンデンサを構成し、アナログ回線ＬＡから供給される直流に重畳されたアナログ信号の直流成分を阻止し、アナログ信号をハイブリッド回路１６ａに供給する。
【００４２】
ループ検出回路１７は、アナログ回線ＬＡのループ状態をループ接／ループ断情報Ｊ４で検出し、ループ接またはループ断を表示制御手段１１ａに提供する。
【００４３】
給電回路１８は、直流電源（局電源に相当）で構成し、表示制御手段１１ａからの指令により、アナログ回線ＬＡに直流電源を供給または停止する。給電回路１８により、給電オン／オフ情報Ｊ１（構内交換機２ａから構内交換機２ｂへの電源供給の有無）をアナログ回線ＬＡに送出する。
【００４４】
呼出信号送出回路１９は、呼出信号（例えば、１６Ｈｚ信号）発生器で構成し、呼出信号を信号送出接点ｒｇを介してアナログ回線ＬＡに送出する。
【００４５】
呼出信号リレー２０は、トランスファー接点構成の信号送出接点ｒｇを２個備え、表示制御手段１１ａから駆動指令がない場合には、信号送出接点ｒｇ（実線表示）を介してアナログ回線ＬＡの２ワイヤーをハイブリッド回路１６ａに接続し、表示制御手段１１ａから駆動指令がある場合には、信号送出接点ｒｇをハイブリッド回路１６ａから切り離して呼出信号送出回路１９をアナログ回線ＬＡの２ワイヤーに接続（破線表示）し、呼出信号をアナログ回線ＬＡに送出する。呼出信号送出回路１９と呼出信号リレー２０により、呼出信号オン／オフ情報Ｊ３（呼出信号の送出／非送出）をアナログ回線ＬＡに送出する。
【００４６】
極性反転リレー２１は、トランスファー接点構成の極性反転接点ｒｅｖを２個備え、表示制御手段１１ａから駆動指令がない場合には、極性反転接点ｒｅｖ（実線表示）を介して給電回路１８の正規（ノーマル）の極性の直流電源をアナログ回線ＬＡの２ワイヤーに供給し、表示制御手段１１ａから駆動指令がある場合には、給電回路１８の極性を反転し（破線表示）、レバース（反転）の極性の直流電源をアナログ回線ＬＡの２ワイヤーに供給する。極性反転リレー２１により、ノーマル／レバース情報Ｊ２（構内交換機２ａから構内交換機２ｂへの電源極性の非反転／反転）をアナログ回線ＬＡに送出する。
【００４７】
表示制御手段１１ａは、給電回路１８への指令の有無で給電オン／オフ状態、極性反転リレー２１への駆動指令の有無で極性のノーマル／レバース状態、呼出信号リレー２０への駆動指令の有無で呼出信号オン／オフ状態ならびにループ検出回路１７のループ接またはループ断の検出からループ接／ループ断状態を認識し、認識した状態に対応したパターン情報をパターン記憶手段１２ａから読出し、パターン情報に対応した点灯、消灯または点灯と消灯のタイミングの駆動信号で発光ダイオード（ＬＥＤ）１３ａにパターン表示し、アナログ回線ＬＡの複数の状態（給電状態、極性状態、呼出信号状態およびループ状態）を表示する。
【００４８】
図４はこの発明に係る局線トランク回路の一実施の形態要部ブロック構成図である。図４において、局線トランク回路７ｂは、状態表示手段１０、ＰＣＭ複合器１４ｂ、ＰＣＭ符号器１５ｂ、ハイブリッド回路１６ｂ、コンデンサＣ３，Ｃ４，Ｃ５、ループ形成回路２２、呼出信号検出回路２３、極性反転検出回路２４、給電検出回路２５を備え、端子Ｂ１，Ｂ２にアナログ回線ＬＡの２ワイヤーを収容するとともに、ＰＣＭ複合器１４ｂおよびＰＣＭ符号器１５ｂを構内交換機２ｂの通話路スイッチ３ｂに接続する。なお、ＰＣＭ複合器１４ｂ、ＰＣＭ符号器１５ｂ、ハイブリッド回路１６ｂおよびコンデンサＣ３，Ｃ４は、図３に示すライン回路６ａ１のＰＣＭ復号器１４ａ、ＰＣＭ符号器１５ａ、ハイブリッド回路１６ａおよびコンデンサＣ１，Ｃ２と同一構成なので、説明を省略する。
【００４９】
状態表示手段１０は、表示制御手段１１ｂ、パターン記憶手段１２ｂ、発光ダイオード（ＬＥＤ）１３ｂを備える。
【００５０】
表示制御手段１１ｂは、マイクロプロセッサを基本に各種処理機能、シーケンス機能、各種（ＬＥＤ、リレー）駆動機能等を備え、パターン記憶手段１２ｂ、発光ダイオード（ＬＥＤ）１３ｂおよびループ形成回路２２の動作を制御するとともに、局線トランク回路７ｂ全体の動作を制御する。
【００５１】
また、表示制御手段１１ｂは、ループ形成回路２２へのループ接／ループ断指令、呼出信号検出回路２３が検出した呼出信号オン／オフ情報Ｊ３、極性反転検出回路２４が検出したノーマル／レバース情報Ｊ２および給電検出回路２５が検出した給電オン／オフ情報Ｊ１に基づいてパターン記憶手段１２ｂに格納しているループ状態、呼出信号状態、極性状態および給電状態のパターン情報を読出し、パターン情報に基づいて駆動信号を発光ダイオード（ＬＥＤ）１３ａに提供してパターン表示させる制御を実行する。
【００５２】
パターン記憶手段１２ｂは、ＲＯＭ等の固定メモリおよびＲＡＭ等の書替え可能なメモリで構成し、局線トランク回路７ｂの制御動作をするための制御プログラム、各種動作条件情報を格納する。
【００５３】
また、パターン記憶手段１２ｂは、アナログ回線ＬＡの複数の状態（給電状態、極性状態、呼出信号状態およびループ状態）を発光ダイオード（ＬＥＤ）１３ｂにパターン表示するためのパターン情報を予め格納し、表示制御手段１１ｂの指令に応じてパターン情報を駆動信号として発光ダイオード（ＬＥＤ）１３ｂに提供する。
【００５４】
発光ダイオード（ＬＥＤ）１３ｂは、１個で構成し、表示制御手段１１ｂの制御によってパターン記憶手段１２ｂから提供される駆動信号（パターン情報）に対応した点灯、消灯または点灯と消灯のタイミングでパターン表示し、アナログ回線ＬＡの複数の状態（給電状態、極性状態、呼出信号状態およびループ状態）を表示する。
【００５５】
ループ形成回路２２は、端子Ｂ１，Ｂ２間に接続し、アナログ回線ＬＡを介して供給される直流的なループ接／ループ断を形成するもので、表示制御手段１１ｂからの指令に基づいて動作し、アナログ回線ＬＡにループ接／ループ断情報Ｊ４（ループの形成／ループ非形成）を送出する。
【００５６】
また、ループ形成回路２２は、直流的なループ接／ループ断を連続して実行することにより、ダイヤルパルス信号を発生し、アナログ回線ＬＡに送出する。
【００５７】
呼出信号検出回路２３は、コンデンサＣ５と直列に端子Ｂ１，Ｂ２間に接続し、アナログ回線ＬＡから送信されてくる呼出信号オン／オフ情報Ｊ３（呼出信号の送出／非送出）を検出して表示制御手段１１ｂに提供する。
【００５８】
極性反転検出回路２４は、端子Ｂ１，Ｂ２間に接続し、アナログ回線ＬＡから送信されてくるノーマル／レバース情報Ｊ２（構内交換機２ａから構内交換機２ｂへの電源極性の非反転／反転）を検出して表示制御手段１１ｂに供給する。
【００５９】
給電検出回路２５は、端子Ｂ１，Ｂ２間に接続し、アナログ回線ＬＡから送信されてくる給電オン／オフ情報Ｊ１（構内交換機２ａから構内交換機２ｂへの電源供給の有無）を検出して表示制御手段１１ｂに供給する。
【００６０】
表示制御手段１１ｂは、ループ形成回路２２への指令の有無でループ接またはループ断の状態、呼出信号検出回路２３の呼出信号オン／オフ状態の検出、極性反転検出回路２４のノーマル／レバース状態の検出および給電検出回路２５の給電オン／オフ状態の検出からループ接／ループ断状態、呼出信号オン／オフ状態、極性のノーマル／レバース状態および給電オン／オフ状態を認識し、認識した状態に対応したパターン情報をパターン記憶手段１２ｂから読出し、パターン情報に対応した点灯、消灯または点灯と消灯のタイミングの駆動信号で発光ダイオード（ＬＥＤ）１３ｂにパターン表示し、アナログ回線ＬＡの複数の状態（給電状態、極性状態、呼出信号状態およびループ状態）を表示する。
【００６１】
このように、この発明に係る状態表示手段９、１０は、複数の状態パターンを記憶するパターンパターン記憶手段１２ａ、１２ｂと、検出した状態信号に基づいて対応する状態パターンの駆動信号を制御する表示制御手段１１ａ、１１ｂと、表示制御手段１１ａ、１１ｂから供給される駆動信号でパターン表示する１個の発光ダイオード１３ａ、１３ｂとを備えたので、検出したパターン情報に基づいて状態パターンを選択し、状態パターンに対応したパターン表示を１個の発光ダイオード（ＬＥＤ）に表示することができ、システムの導入時の確認や保守が容易になり、使い勝手の良さをアピールすることができる。
【００６２】
次に、ライン回路６ａ１の状態表示手段９および局線トランク回路７ｂの状態表示手段１０において、給電オン／オフ、呼出信号オン／オフ、ループ接／ループ断および極性のノーマル／レバースの４状態を１個の発光ダイオード（ＬＥＤ）にパターン表示する方法について説明する。
【００６３】
図５はこの発明に係るＬＥＤの実施の形態パターン表示図である。（ａ）図に空き状態、（ｂ）図に発信ダイヤル状態または着信通話状態、（ｃ）図に給電オフ状態、（ｄ）図に発信通話状態、（ｅ）図に呼出信号オフの着信状態、（ｆ）図に着信状態のそれぞれＬＥＤ点灯、消灯、または点灯と消灯のタイミングのパターン表示を表わす。
【００６４】
（ａ）図は、空き状態で、給電オン、極性ノーマル、呼出信号オフ、ループ断のパターン表示を示し、ＬＥＤ表示を常に消灯（ＯＦＦ）にして４状態同時の表示パターンとして表わす。
【００６５】
（ｂ）図は、発信ダイヤル状態または着信通話状態で、給電オン、極性ノーマル、呼出信号オフ、ループ接のパターン表示を示し、ＬＥＤ表示を常に点灯（ＯＮ）にして４状態同時の表示パターンとして表わす。
【００６６】
（ｃ）図は、給電オフ状態で、給電オフ、極性ノーマル、呼出信号オフ、ループ断のパターン表示を示し、ＬＥＤ表示を消灯（ＯＦＦ）＋時々点灯（ＯＮ、例えば、９３６ｍｓＯＦＦ＋６４ｍｓＯＮの繰返し）にして４状態同時の表示パターンとして表わし、特に給電オフの状態であることを表わす。
【００６７】
（ｄ）図は、発信通話状態で、給電オン、極性レバース、呼出信号オフ、ループ接のパターン表示を示し、ＬＥＤ表示を点灯（ＯＮ）＋時々消灯（ＯＦＦ、例えば、９３６ｍｓＯＮ＋６４ｍｓＯＦＦの繰返し）にして４状態同時の表示パターンとして表わす。
【００６８】
（ｅ）図は、呼出信号オフ（ノンリンギング）の着信状態で、給電オン、極性レバース、呼出信号オフ、ループ断のパターン表示を示し、ＬＥＤを遅い周期のタイミングで点灯（ＯＮ）と消灯（ＯＦＦ）の繰返し（例えば、６４ｍｓＯＦＦ＋６４ｍｓＯＮ）にして４状態同時の表示パターンとして表わす。
【００６９】
（ｆ）図は、着信状態で、給電オン、極性レバースまたはノーマル、呼出信号オン、ループ断のパターン表示を示し、ＬＥＤを速い周期のタイミングで点灯（ＯＮ）と消灯（ＯＦＦ）の繰返し（例えば、１６ｍｓＯＦＦ＋１６ｍｓＯＮ）にして４状態同時の表示パターンとして表わす。
【００７０】
図６はこの発明に係るアナログ回線信号波形とＬＥＤ表示パターンの一実施の形態関係図である。図６において、局線トランク回路７ｂ側からの発信通話→相手応答→相手切断→局線トランク回路７ｂの切断までの状態信号波形とＬＥＤ表示パターンを表わす。
【００７１】
まず、空き状態では、ＬＥＤの表示をオフ（ＯＦＦ）にしてアナログ回線ＬＡが空き状態であることを表わす。次に、局線トランク回路７ｂのループ接（発信）によりＬＥＤ表示をオン（ＯＮ）にしてアナログ回線ＬＡが発信中であることを表わす。
【００７２】
続いて、局線トランク回路７ｂがダイヤルパルスを刻むと、ダイヤルパルスに同期してＬＥＤ表示もオン（ＯＮ）・オフ（ＯＦＦ）となり、ダイヤルパルス送出中であることを表示する。次に、相手が応答してライン回路６ａ１からの極性レバースにより、ＬＥＤ表示を点灯（ＯＮ）＋時々消灯（ＯＦＦ、例えば、９３６ｍｓＯＮ＋６４ｍｓＯＦＦの繰返し）にし、発信通話中であることを表示する。
【００７３】
続いて、相手終話（断）によってライン回路６ａ１からの極性レバースから極性ノーマルに移行してＬＥＤ表示をオン（ＯＮ）にして相手切断を表示する。最後に、局線トランク回路７ｂのループ断（切断）により、ＬＥＤ表示をオフ（ＯＦＦ）にしてアナログ回線ＬＡが空き状態に戻ったことを表わす。
【００７４】
このようにして、アナログ回線ＬＡの状態を外部から１個のＬＥＤに表示し、アナログ回線状態を容易に判断可能にすることができる。
【００７５】
図７はこの発明に係るアナログ回線信号波形とＬＥＤ表示パターンの別実施の形態関係図である。図７において、ライン回路６ａ１側からの着信→局線トランク回路７ｂの応答→局線トランク回路７ｂの切断までの状態信号波形とＬＥＤ表示パターンを表わす。
【００７６】
まず、空き状態では、ＬＥＤの表示をオフ（ＯＦＦ）にしてアナログ回線ＬＡが空き状態であることを表わす。次に、ライン回路６ａ１側の着信によって極性レバースによりＬＥＤ表示を遅い点滅（例えば、６４ｍｓＯＦＦ＋６４ｍｓＯＮの繰返し）とし、アナログ回線ＬＡの状態が着信であることを表示する。
【００７７】
続いて、局線トランク回路７ｂからの呼出信号オンにより、ＬＥＤ表示を速い点滅（例えば、１６ｍｓＯＦＦ＋１６ｍｓＯＮの繰返し）とし、アナログ回線ＬＡの状態が呼出信号オンであることを表示する。次に、局線トランク回路７ｂのループ接（応答）によりＬＥＤ表示をオン（ＯＮ）にして着信通話状態に入ったことを表示する。最後に、局線トランク回路７ｂのループ断（切断）によりＬＥＤ表示をオフ（ＯＦＦ）にしてアナログ回線ＬＡが空き状態に戻ったことを表示する。
【００７８】
このようにして、アナログ回線ＬＡの状態を外部から１個のＬＥＤに表示し、アナログ回線状態を容易に判断可能にすることができる。
【００７９】
図８はこの発明に係るアナログ回線の不都合時のアナログ回線信号波形とＬＥＤ表示パターンの一実施の形態関係図である。図８において、アナログ回線ＬＡのケーブルが断線すると、局線トランク回路７ｂで給電オフを検出し、ＬＥＤ表示を消灯＋時々点灯（例えば、９３６ｍｓＯＦＦ＋６４ｍｓＯＮの繰返し）とし、ケーブルが断線していない場合には本来給電オンであるべきの状態が給電オフであることを表示する。これにより、アナログ回線ＬＡのケーブル断を外部から容易に判断可能となる。ケーブル断が解消されてアナログ回線ＬＡが正常に接続された場合には、ＬＥＤ表示をオフ（ＯＦＦ）にしてアナログ回線ＬＡが復旧したことを確認することができる。
【００８０】
次に、アナログ回線ＬＡの２ワイヤーを逆接続してしまった場合には、局線トランク回路７ｂ側で極性レバースを検出し、ＬＥＤ表示を遅い点滅（例えば、６４ｍｓＯＦＦ＋６４ｍｓＯＮの繰返し）とし、正規の接続の場合には本来極性ノーマルであるべきの状態が極性レバースであることをＬＥＤに表示する。これによって、アナログ回線ＬＡが逆接続になっていることを外部から容易に判断可能となる。アナログ回線ＬＡの逆接続が解消され、正常に接続された場合には、ＬＥＤ表示をオフ（ＯＦＦ）にしてアナログ回線ＬＡが復旧したことを確認することができる。
【００８１】
このように、この発明に係る発光ダイオード（ＬＥＤ）１３ａ、１３ｂは、点灯、消灯、または点灯と消灯のタイミングでパターン表示するので、パターン表示を目視するだけで、アナログ回線ＬＡの状態、アナログ回線ＬＡの異常を容易に認識することができる。
【００８２】
また、この発明に係るパターン表示は、給電状態、呼出信号状態、極性状態およびループ状態やアナログ回線ＬＡの断線、アナログ回線ＬＡの２ワイヤーの逆接続であるので、アナログ回線ＬＡの複数の状態および回線異常を目視で、容易に確認することができる。
【００８３】
【発明の効果】
以上説明したように、この発明に係るこの発明に係る構内交換機システムのライン回路および局線トランク回路は、それぞれアナログ回線の複数の状態を１個の発光ダイオードでパターン表示する状態表示手段を備えたので、１個の発光ダイオードでアナログ回線の複数の状態を同時にパターン表示するとともに、アナログ回線の断線や２ワイヤーの逆接続をパターン表示することができ、単純構成で利便性の向上を実現することができる。
【００８４】
また、この発明に係る状態表示手段は、複数の状態パターンを記憶するパターン記憶手段と、検出したパターン情報に基づいて対応する状態パターンの駆動信号を制御する表示制御手段と、表示制御手段から供給される駆動信号でパターン表示する１個の発光ダイオードとを備えたので、検出したパターン情報に基づいて状態パターンを選択し、状態パターンに対応したパターン表示を１個の発光ダイオード（ＬＥＤ）に表示することができ、システムの導入時の確認や保守が容易になり、使い勝手の良さをアピールすることができる。
【００８５】
さらに、この発明に係る発光ダイオードは、点灯、消灯、または点灯と消灯のタイミングでパターン表示するので、パターン表示を目視するだけで、アナログ回線の状態、アナログ回線の異常を容易に認識することができる。
【００８６】
また、この発明に係るパターン表示は、給電状態、呼出信号状態、極性状態およびループ状態やアナログ回線の断線、アナログ回線の２ワイヤーの逆接続であるので、アナログ回線の複数の状態および回線異常を目視で、容易に確認することができる。
【図面の簡単な説明】
【図１】この発明に係る構内交換機システムの一実施の形態構成図
【図２】この発明に係るアナログ回線の状態信号の一実施の形態イメージ図
【図３】この発明に係るライン回路の一実施の形態要部ブロック構成図
【図４】この発明に係る局線トランク回路の一実施の形態要部ブロック構成図
【図５】この発明に係るＬＥＤの実施の形態パターン表示図
【図６】この発明に係るアナログ回線信号波形とＬＥＤ表示パターンの一実施の形態関係図
【図７】この発明に係るアナログ回線信号波形とＬＥＤ表示パターンの別実施の形態関係図
【図８】この発明に係るアナログ回線の不都合時のアナログ回線信号波形とＬＥＤ表示パターンの一実施の形態関係図
【符号の説明】
１  構内交換機システム
２ａ，２ｂ  構内交換機
３ａ，３ｂ  通話路スイッチ
４ａ，４ｂ  記憶装置
５ａ，５ｂ  制御装置
６ａ１，６ｂ１，６ｂ２  ライン回路
７ａ，７ｂ  局線トランク回路
８  専用線トランク
９，１０  状態表示手段
１１ａ，１１ｂ  表示制御手段
１２ａ，１２ｂ  パターン記憶手段
１３ａ，１３ｂ  発光ダイオード（ＬＥＤ）
１４ａ，１４ｂ  ＰＣＭ複合器
１５ａ，１５ｂ  ＰＣＭ符号器
１６ａ，１６ｂ  ハイブリッド回路
１７  ループ検出回路
１８  給電回路
１９  呼出信号送出回路
２０  呼出信号リレー
２１  極性反転リレー
２２  ループ形成回路
２３  呼出信号検出回路
２４  極性反転検出回路
２５  給電検出回路
Ｃ１，Ｃ２，Ｃ３，Ｃ４，Ｃ５  コンデンサ
ｒｇ  信号送出接点
ｒｅｖ  極性反転接点
ＮＴ  公衆網
ＰＶ  専用線
ＬＡ  アナログ回線
ＴＥａ，ＴＥｂ１，ＴＥｂ２  内線電話機
ＢＵａ，ＢＵｂ  内部バス
【図１】
2005033258.tif 000003
【図２】
2005033258.tif 000004
【図３】
2005033258.tif 000005
【図４】
2005033258.tif 000006
【図５】
2005033258.tif 000007
【図６】
2005033258.tif 000008
【図７】
2005033258.tif 000009
【図８】
2005033258.tif 000010